(57)【要約】【課題】従来の表示装置は、長尺部材上に、複数のＬＥＤ発光体を一列に配列し、前記長尺部材を複数平行に、一定間隔で配設し、表示面を形成し表示を行なっているが、個々の長尺部材間に空間があるため、風により冷却できる反面、空間から背景が見えてしまい、表示内容が見苦しいという課題を有する。【解決手段】本発明の表示装置は、ルーバー１０をＬＥＤ発光体が配設された表示面とは反対面に配設することにより、冷却効果を向上させ、更に背景を隠すことで表示内容を見やすくした。【選択図】図１
2006126546.tif 000002
【特許請求の範囲】
【請求項１】
複数のＬＥＤ発光体を直線状に配設した長尺部材を所望の間隔を空け、複数平行に配設し、前記長尺部材のＬＥＤ発光体が配設された面とは反対面に、９０度より小さい角度に傾斜する状態で折り曲げられたルーバーとを備えたことを特徴とする表示装置。
【請求項２】
前記ルーバーが金属製であることを特徴とする請求項１に記載の表示装置。
【請求項３】
前記長尺部材と前記ルーバーの色が同一色であることを特徴とする請求項１または２に記載の表示装置。
【請求項４】
前記長尺部材と前記ルーバーの前記ＬＥＤ発光体が配設された面側の色が黒色であることを特徴とする請求項１乃至３のいずれかに記載の表示装置。
【請求項５】
前記ルーバーの導風部が、断面視曲線であることを特徴とする請求項１乃至４のいずれかに記載の表示装置。
【発明の詳細な説明】
【技術分野】
【０００１】
本発明は、複数のＬＥＤ等の発光体により、文字、図形などを表示する表示装置に関し、特に、屋外に設置する大型の表示装置に関するものである。
【背景技術】
【０００２】
従来、ビルなどの建物の外壁などに複数のＬＥＤ発光体が所望の間隔でマトリックス状に配設された表示部を有する大型の表示装置を設置し、表示部の複数のＬＥＤ発光体を点滅制御することにより、各種の宣伝広告が盛んに行なわれている。
【０００３】
このような表示装置は、ＬＥＤ発光体を制御するための制御回路や電源部を備え、表示内容に関しては、プログラムにより制御されている。
【０００４】
しかしながら、このような表示装置は、ＬＥＤ発光体や電源等の発熱量が大きく、その放熱に対しては、風による自然冷却であり、あまり考慮はされていなかった。
【０００５】
また、取り付け強度に関しては、ビルの側壁など、固定する場所が強固な場合は良いが、単独で設置する場合においては、風圧などの影響を考慮し、本体及び支柱を強固なものにする必要が有り、材料コストの面において課題があるとともに、工事設置においても、運搬、移動において手間がかかるという課題が有る。
【０００６】
上記課題に鑑み、近年、表示面から背面に向け空隙を有することで、冷却効果を向上させ、更に、表示部を細長い複数のＬＥＤユニットに分割することで工事設置を容易にした表示装置が特許文献１で公開されている。
【０００７】
図７は、特許文献１に記載の表示装置の表示面側から見た構成図であり、図に示されるように、表示装置１は、複数のＬＥＤ発光体３を直線方向に配設した複数の長尺部材４を外枠２上に平行に所望の空間５を空け配設した構成であり、この構成により、長尺部材４間で風が通過するため、冷却効果が高まるとともに、設置及び運搬の面においても容易になるため工事費用が削減できるというものである。
【特許文献１】特開２００３−３１６２９８号公報
【発明の開示】
【発明が解決しようとする課題】
【０００８】
しかしながら、上記の特許文献１の構成は、従来の課題を解決できる反面、長尺部材４間の隙間から背面の景色が見えてしまい表示内容が見苦しいという新たな課題が有るとともに、大型の表示装置の場合、高所に設置されるため、観察者の見る角度によっては、晴れた昼間の時間帯において、隙間から太陽光が差し込み表示部と背景とのコントラストが不明瞭になるため、視認性の面において表示内容が見にくいという課題も有る。
【０００９】
前記課題に鑑み、本発明の表示装置は、従来の冷却及び工事設置などの課題を解決できるとともに、更に、表示内容の視認性の面における課題も解決できる表示装置を提供することを目的とする。
【課題を解決するための手段】
【００１０】
上記目的を達成するために、本発明の表示装置は、請求項１記載のように、ＬＥＤ発光体を複数直線状に配設した長尺部材を所望の間隔を空け、複数平行に配設し、前記長尺部材のＬＥＤ発光体が配設された面とは反対面に、９０度より小さい角度に傾斜する状態で折り曲げられたルーバーが配設されている。
【００１１】
係る構成によれば、風が前記ルーバーの隙間を通り抜けるため、冷却ができるとともに、表示内容の視認性においては、観察者の側から見たとき、ルーバーが表示装置の背景を隠すため、表示内容が見やすくなる。
【００１２】
また、本発明の表示装置は、請求項２記載のように、請求項１の発明において、ルーバーが金属製である。
【００１３】
係る構成によれば、ルーバーを熱伝導性の良い金属で形成することにより放熱効果を更に向上させることができる。
【００１４】
また、本発明の表示装置は、請求項３記載のように、請求項１または２記載のいずれかの発明において、長尺部材とルーバーの色が同一色である。
【００１５】
係る構成によれば、表示部の美観を向上させることができる。
【００１６】
また、本発明の表示装置は、請求項４記載のように、請求項１乃至３記載のいずれかの発明において、長尺部材とルーバーのＬＥＤ発光体が配設された面の色が黒色である。
【００１７】
係る構成によれば、ＬＥＤ発光体の発光色とそれ以外の部分のコントラストが明瞭になり、更に表示内容が見やすくなる。
【００１８】
また、本発明の表示装置は、請求項５記載のように、請求項１乃至４記載のいずれかの発明において、ルーバーの導風通路の部分が、断面視曲線である。
【００１９】
係る構成によれば、導風通路の抵抗を低減することができるため、風が通過しやすくなり冷却効果が向上する。
【発明の効果】
【００２０】
本発明によれば、ＬＥＤ発光体の配設された面からの風による冷却効果を確保し、更に、表示内容の視認性においては、ＬＥＤ発光体が配設された面から背景が見えないため、表示内容が見やすくなる。
【発明を実施するための最良の形態】
【００２１】
以下本発明を実施するための最良の形態について、図面を参照しながら説明する。
【００２２】
（実施の形態１）
本発明の実施の形態１について、図１乃至図５を参照しながら説明する。
【００２３】
図１（ａ）は本発明の表示装置に係るルーバーの斜視図であり、図１（ｂ）は、図１（ａ）の矢印Ａ方向から見た側面図である。
【００２４】
図１（ａ）に示されるように、ルーバー１０は、取り付け用のネジ穴１１を備え、図１（ｂ）に示されるように、折り曲げの角度２０が９０度より小さい角度になるように形成したものである。
【００２５】
次に、ルーバー１０の表示装置への配設について説明する。
【００２６】
図２（ａ）は、ルーバー１０を配設した本発明の表示装置を表示面側から見た構成図、図２（ｂ）は、図２（ａ）における矢印Ｂ方向から見た側面図、図３は背面図である。
【００２７】
図２（ａ）、（ｂ）、図３に示されるように、本発明の表示装置３０は、複数のＬＥＤ発光体３２を直線状に配設した複数の金属製の長尺部材３５を金属製の支柱３８上に所望の間隔を空け平行に配設し、各々の長尺部材３５のＬＥＤ発光体３２が配設された表示面３７とは反対面にルーバー１０をネジ１１ａにより固定したものである。
【００２８】
なお、図には記載されていないが、ＬＥＤ発光体３２を駆動する駆動部は、ノイズの影響を避けるためＬＥＤ発光体３２に極力近く配設することが良く、長尺部材３５の内部に配設し、また、ＬＥＤ発光体３２の点滅制御を行なう制御部及び電源部については、支柱３８の内部に配設する。
【００２９】
次に、本発明の表示装置３０を、建物等への配設について図４を参照しながら説明する。
【００３０】
図４は、設置例として、表示装置３０を建物４０の屋上に設置した場合を示す図であり、図に示されるように、表示装置３０は、支持体４２にネジ（図示せず）により固定される。
【００３１】
以上説明した表示装置３０によれば、表示面３７とは反対面にルーバー１０を配設することにより、風は、図５に示されるように、長尺部材３５間の隙間に導風通路を形成し長尺部材３５及び支柱３８を冷却することができるとともに、表示装置３０の表示面３７から見た場合、ルーバー１０が、背景を隠すため、太陽光などの影響を抑え、表示内容が見やすくなる。
【００３２】
また、ルーバー１０の材質を熱伝導性の良い例えばアルミなどの金属で形成することにより、放熱面積が広がるとともに、長尺部材３５との熱伝導性が良くなり、更に冷却効果を高めることができる。
【００３３】
また、ルーバー１０の表示面３７側の色と長尺部材３５の表示面３７側の色を同色とすることにより、昼間の明るい時間帯に見た場合においても表示面が見苦しくなく美観が向上する。
【００３４】
また、表示面３７側のルーバー１０の色と長尺部材３５の色を黒色に塗装することにより、発光したＬＥＤ発光体３２とＬＥＤ発光体３２以外の部分とのコントラストが明瞭になり、表示内容が見やすくなるとともに、放熱効率の向上も図ることができる。
【００３５】
また、更に表示面３０とは、反対面の色を太陽吸収率の低い明るい白色系の色で塗装することにより、太陽光による熱の吸収を低減することができ、ルーバー１０による放熱効率を更に向上させることができる。
【００３６】
（実施の形態２）
図６は、本発明の表示装置に係るルーバーの第２の実施の形態を示す斜視図である。
【００３７】
図６に示されるように、ルーバー５０は、導風通路となる導風部５２が、断面視曲線で形成されたものであり、このように形成することにより、風の抵抗を低減することができるため、放熱効率を向上させることができる。
【産業上の利用可能性】
【００３８】
本発明の技術は、屋外の高所に取り付けられる大型の表示装置に有用な技術である。
【図面の簡単な説明】
【００３９】
【図１】（ａ）は、本発明の表示装置に係るルーバーの斜視図、（ｂ）は側面図
【図２】（ａ）は、本発明の表示装置の表示面側から見た構成図、（ｂ）は側面図
【図３】本発明の表示装置の背面から見た構成図
【図４】本発明の表示装置を設置した場合を示す図
【図５】本発明の表示装置の風の流れを示す図
【図６】本発明の表示装置に係る第２の実施の形態のルーバーの斜視図
【図７】従来の表示装置の表示面側から見た構成図
【符号の説明】
【００４０】
１、３０  表示装置
２  外枠
３、３２  ＬＥＤ発光体
【図１】
2006126546.tif 000003
【図２】
2006126546.tif 000004
【図３】
2006126546.tif 000005
【図４】
2006126546.tif 000006
【図５】
2006126546.tif 000007
【図６】
2006126546.tif 000008
【図７】
2006126546.tif 000009